(57)【特許請求の範囲】
【請求項１】
ミラーを装着するミラー保持部材と、
このミラー保持部材と対向配置されたベース部材と、
ベース部材の貫通孔に螺合され、先端がミラー保持部材の対向面に当接する複数の角度調整ネジと、
ミラー保持部材とベース部材を係合するための連結ネジと、
ミラー保持部材とベース部材間を付勢するための第１の圧縮バネ及び第２の圧縮バネと、
ベース部材に形成された第１の圧縮バネを収納するための貫通孔と、
この貫通孔内において第１の圧縮バネの付勢力を受け止めるストッパと、
ミラー保持部材に形成された第２の圧縮バネを収納するための貫通孔と、
この貫通孔内において第２の圧縮バネの付勢力を受け止めるストッパと、
上記連結ネジの先端に係合されるネジ受け部材とを備え、
上記連結ネジは、ベース部材の貫通孔に収納された第１の圧縮バネ及びミラー保持部材の貫通孔に収納された第２の圧縮バネに挿通され、
一方の圧縮バネはこの連結ネジの頭部と一方のストッパとの間に配置されると共に、他方の圧縮バネは上記ネジ受け部材と他方のストッパとの間に配置されていることを特徴とする角度調整機構付ミラーホルダ。
【請求項２】
ミラーを装着するミラー保持部材と、
このミラー保持部材と対向配置されたベース部材と、
ベース部材の貫通孔に螺合され、先端がミラー保持部材の対向面に当接する複数の角度調整ネジと、
ミラー保持部材とベース部材を係合するための複数の連結ネジと、
ミラー保持部材とベース部材間を付勢するための複数の第１の圧縮バネ及び複数の第２の圧縮バネと、
ベース部材に形成された第１の圧縮バネを収納するための複数の貫通孔と、
各貫通孔内において第１の圧縮バネの付勢力を受け止めるストッパと、
ミラー保持部材に形成された第２の圧縮バネを収納するための複数の貫通孔と、
各貫通孔内において第２の圧縮バネの付勢力を受け止めるストッパと、
上記連結ネジの先端に係合されるネジ受け部材とを備え、
上記の各連結ネジは、ベース部材の貫通孔に収納された第１の圧縮バネ及びミラー保持部材の貫通孔に収納された第２の圧縮バネに挿通され、
一方の圧縮バネは各連結ネジの頭部と一方のストッパとの間に配置されると共に、他方の圧縮バネは上記ネジ受け部材と他方のストッパとの間に配置されていることを特徴とする角度調整機構付ミラーホルダ。
【請求項３】
上記ベース部材に形成された貫通孔が、第１の圧縮バネを収納するための広径部と、連結ネジを挿通するための狭径部を備えており、広径部と狭径部との間に形成される段部が上記のストッパとして機能し、
上記ミラー保持部材に形成された貫通孔が、第２の圧縮バネを収納するための広径部と、連結ネジを挿通するための狭径部を備えており、広径部と狭径部との間に形成される段部が上記のストッパとして機能することを特徴とする請求項１または２に記載の角度調整機構付ミラーホルダ。
【請求項４】
ミラーを装着するミラー保持部材と、
このミラー保持部材と対向配置されたベース部材と、
ベース部材の貫通孔に螺合され、先端がミラー保持部材の対向面に当接する複数の角度調整ネジと、
ミラー保持部材とベース部材を係合するための複数の連結ネジと、
ミラー保持部材とベース部材間を付勢するための複数の第１の圧縮バネ及び複数の第２の圧縮バネと、
ベース部材に形成された第１の圧縮バネを収納するための複数の凹部と、
各凹部の底面に形成された連結ネジ挿通用の貫通孔と、
ミラー保持部材に形成された第２の圧縮バネを収納するための一の共通凹部と、
この共通凹部の底面に形成された連結ネジ挿通用の複数の貫通孔と、
複数のネジ穴を備えた一のネジ受け部材とを備え、
上記の各連結ネジは、ベース部材の凹部に収納された第１の圧縮バネ、ベース部材の貫通孔、ミラー保持部材の貫通孔及びミラー保持部材の共通凹部に収納された第２の圧縮バネにそれぞれ挿通されると共に、それぞれの先端が共通ネジ受け部材のネジ穴に係合され、
第１の圧縮バネは各連結ネジの頭部と凹部の底面との間に配置されると共に、第２の圧縮バネは共通ネジ受け部材と共通凹部の底面との間に配置されていることを特徴とする角度調整機構付ミラーホルダ。
【請求項５】
上記ミラー保持部材の対向面における少なくとも上記角度調整ネジが当接する部分を、焼き入れ部材によって構成したことを特徴とする請求項１〜４の何れかに記載の角度調整機構付ミラーホルダ。
【請求項６】
上記第１の圧縮バネ及び第２の圧縮バネが、多数の皿バネを積層させた皿バネ群よりなることを特徴とする請求項１〜５の何れかに記載の角度調整機構付ミラーホルダ。
【請求項７】
上記第１の圧縮バネ及び第２の圧縮バネが、圧縮コイルバネよりなることを特徴とする請求項１〜５の何れかに記載の角度調整機構付ミラーホルダ。
【発明の詳細な説明】
【技術分野】
【０００１】
この発明は、レーザ発振器のミラーを保持して発振器本体等に固定するためのミラーホルダに係り、特に、ミラーの角度を微調整する機構を備えたミラーホルダに関する。
【背景技術】
【０００２】
レーザ発振器は、全反射ミラーと出力ミラーとの間に設置されたYAGロッド等のレーザ媒質に励起光を照射し、レーザ媒質から放出された光をミラー間で反射増幅させた後、その一部を出力ミラーから外部に取り出す仕組みを備えている。
そして、安定したレーザ出力を確保するには対向配置させた全反射ミラー及び出力ミラーの向き（平行度）が極めて重要となるため、各ミラーの角度を微調整するための機構を備えたミラーホルダが、これまでも種々提案されている（下記の特許文献参照）。
【特許文献１】特開２００２−２１８３５
【特許文献２】特開２００５−２１５５０７
【０００３】
特許文献１に記載のミラーホルダは、ミラーを保持するための前板と、レーザ装置内に取り付けるための本体と、それぞれの対応位置に形成されたバネ収納用の複数の貫通孔と、この貫通孔内に挿通される引張りコイルバネと、本体部に形成された調整ネジ挿通用の複数の貫通孔と、複数本の調整ネジとを備えている。
前板と本体部とは、それぞれのバネ収納用貫通孔を合わせて形成された貫通孔内に引張りコイルバネを挿通させ、その両端をピンを用いて前板及び本体に引っ掛けることにより、バネの収縮力によって接合される。
そして、本体部に形成された調整ネジ挿入用の各貫通孔に調整ネジを螺合させることにより、その先端が前板の内面に当接される。この状態で任意の調整ネジをさらに回転させると、当該調整ネジの突出量が増大し、前板と本体間の距離が部分的に変化する結果、ミラーを保持する前板のあおり角度あるいは回転角度の調整が実現される。
このミラーホルダの場合、調整ネジによる角度調整が完了した後、調整ネジの軸方向と平行な力を調整ネジに加えるロック部材にロックビスを螺合させ、その先端を本体に押圧させることによって調整ネジの動きがロックされる仕組みを備えている。
【０００４】
特許文献２に記載のミラーホルダも、ミラーを保持するためのプレートと、レーザ装置内に取り付けるためのブロックと、それぞれの対応位置に形成されたバネ収納用の複数の貫通孔と、この貫通孔内に挿通される引張りコイルバネと、本体部に形成された調整ネジ挿通用の複数の貫通孔と、複数本の調整ネジとを備えている。
プレートとブロックとは、それぞれのバネ収納用貫通孔を合わせて形成された貫通孔内に引張りコイルバネを挿通させ、その両端をピンを用いてプレート及びブロックに引っ掛けることにより、バネの収縮力によって接合される。
そして、ブロックに形成された調整ネジ挿入用の各貫通孔に調整ネジを螺合させることにより、その先端がプレートの内面に当接される。この状態で任意の調整ネジをさらに回転させると、当該調整ネジの突出量が増大し、プレートとブロック間の距離が部分的に変化する結果、ミラーを保持するプレートのあおり角度あるいは回転角度の調整が実現される。
このミラーホルダの場合、調整ネジによる角度調整が完了した後、１本の固定ネジをブロックの貫通孔に挿通させ、その先端をプレートに形成されたネジ孔に螺合させることにより、プレートをブロックに対して締結させる構造を備えている。
【発明の開示】
【発明が解決しようとする課題】
【０００５】
上記のように、特許文献１及び２のミラーホルダは、何れもミラー保持用の部材と設置用の部材を両部材の貫通孔内に配置したコイルバネの引張り応力によって接合・保持させる構造であるが、あまり強い力の引張りコイルバネを用いると両端のフックを各部材に係合することが大変となるし、フックに大きな負担がかかることにもなるため、その引張り応力にはどうしても制約があり、高い保持力を実現できないという問題があった。このため、調整ネジを回してミラーの角度を調整している間に、その回転力を受けて両部材間に位置ずれが生じ易いという欠点があった。
また、一旦コイルバネを取り付けた後は、その引張り応力を柔軟に加減することができないため、通常よりも強い保持力を確保した上で、両部材間の角度を狭い調整幅で微調整するということもできなかった。
さらに、両者とも角度調整完了後のロック手段（角度固定手段）を備えているが、何れも付勢手段であるコイルバネと離れた箇所にロックネジを螺合する方式であるため、ロック時に位置ずれが生じやすかった。
【０００６】
この発明は、従来のミラーホルダが抱える上記の問題を解決するために案出されたものであり、角度調整時において比較的強い保持力を確保できると共に、必要な調整幅に応じて保持力を柔軟に加減でき、ロック時における位置ずれも生じにくいミラーホルダを提供することを目的としている。
【課題を解決するための手段】
【０００７】
上記の目的を達成するため、請求項１に記載の角度調整機構付ミラーホルダは、ミラーを装着するミラー保持部材と、このミラー保持部材と対向配置されたベース部材と、ベース部材の貫通孔に螺合され、先端がミラー保持部材の対向面に当接する複数の角度調整ネジと、ミラー保持部材とベース部材を係合するための連結ネジと、ミラー保持部材とベース部材間を付勢するための第１の圧縮バネ及び第２の圧縮バネと、ベース部材に形成された第１の圧縮バネを収納するための貫通孔と、この貫通孔内において第１の圧縮バネの付勢力（圧縮応力＝反発力）を受け止めるストッパ（係止部）と、ミラー保持部材に形成された第２の圧縮バネを収納するための貫通孔と、この貫通孔内において第２の圧縮バネの付勢力を受け止めるストッパと、上記連結ネジの先端に係合されるネジ受け部材とを備え、上記連結ネジは、ベース部材の貫通孔に収納された第１の圧縮バネ及びミラー保持部材の貫通孔に収納された第２の圧縮バネに挿通され、一方の圧縮バネはこの連結ネジの頭部と一方のストッパとの間に配置されると共に、他方の圧縮バネは上記ネジ受け部材と他方のストッパとの間に配置されていることを特徴としている。
【０００８】
請求項２に記載の角度調整機構付ミラーホルダは、ミラーを装着するミラー保持部材と、このミラー保持部材と対向配置されたベース部材と、ベース部材の貫通孔に螺合され、先端がミラー保持部材の対向面に当接する複数の角度調整ネジと、ミラー保持部材とベース部材を係合するための複数の連結ネジと、ミラー保持部材とベース部材間を付勢するための複数の第１の圧縮バネ及び複数の第２の圧縮バネと、ベース部材に形成された第１の圧縮バネを収納するための複数の貫通孔と、各貫通孔内において第１の圧縮バネの付勢力を受け止めるストッパと、ミラー保持部材に形成された第２の圧縮バネを収納するための複数の貫通孔と、各貫通孔内において第２の圧縮バネの付勢力を受け止めるストッパと、上記連結ネジの先端に係合されるネジ受け部材とを備え、上記の各連結ネジは、ベース部材の貫通孔に収納された第１の圧縮バネ及びミラー保持部材の貫通孔に収納された第２の圧縮バネに挿通され、一方の圧縮バネは各連結ネジの頭部と一方のストッパとの間に配置されると共に、他方の圧縮バネは上記ネジ受け部材と他方のストッパとの間に配置されていることを特徴としている。
【０００９】
請求項３に記載の角度調整機構付ミラーホルダは、請求項１または２のミラーホルダであって、さらに、上記ベース部材に形成された貫通孔が、第１の圧縮バネを収納するための広径部と、連結ネジを挿通するための狭径部を備えており、広径部と狭径部との間に形成される段部が上記のストッパとして機能し、上記ミラー保持部材に形成された貫通孔が、第２の圧縮バネを収納するための広径部と、連結ネジを挿通するための狭径部を備えており、広径部と狭径部との間に形成される段部が上記のストッパとして機能することを特徴としている。
【００１０】
請求項４に記載の角度調整機構付ミラーホルダは、ミラーを装着するミラー保持部材と、このミラー保持部材と対向配置されたベース部材と、ベース部材の貫通孔に螺合され、先端がミラー保持部材の対向面に当接する複数の角度調整ネジと、ミラー保持部材とベース部材を係合するための複数の連結ネジと、ミラー保持部材とベース部材間を付勢するための複数の第１の圧縮バネ及び複数の第２の圧縮バネと、ベース部材に形成された第１の圧縮バネを収納するための複数の凹部と、各凹部の底面に形成された連結ネジ挿通用の貫通孔と、ミラー保持部材に形成された第２の圧縮バネを収納するための一の共通凹部と、この共通凹部の底面に形成された連結ネジ挿通用の複数の貫通孔と、複数のネジ穴を備えた一のネジ受け部材とを備え、上記の各連結ネジは、ベース部材の凹部に収納された第１の圧縮バネ、ベース部材の貫通孔、ミラー保持部材の貫通孔及びミラー保持部材の共通凹部に収納された第２の圧縮バネにそれぞれ挿通されると共に、それぞれの先端が共通ネジ受け部材のネジ穴に係合され、第１の圧縮バネは各連結ネジの頭部と凹部の底面との間に配置されると共に、第２の圧縮バネは共通ネジ受け部材と共通凹部の底面との間に配置されていることを特徴としている。
【００１１】
請求項５に記載の角度調整機構付ミラーホルダは、請求項１〜４のミラーホルダであって、さらに上記ミラー保持部材の対向面における少なくとも上記角度調整ネジが当接する部分を、焼き入れ部材によって構成したことを特徴としている。
【００１２】
請求項６に記載の角度調整機構付ミラーホルダは、請求項１〜５のミラーホルダであって、さらに上記第１の圧縮バネ及び第２の圧縮バネが、多数の皿バネを積層させた皿バネ群よりなることを特徴としている。
【００１３】
請求項７に記載の角度調整機構付ミラーホルダは、請求項１〜５のミラーホルダであって、さらに上記第１の圧縮バネ及び第２の圧縮バネが、圧縮コイルバネよりなることを特徴としている。
【発明の効果】
【００１４】
請求項１〜７に記載の角度調整機構付ミラーホルダにあっては、ベース部材の貫通孔（または凹部）内及びミラー保持部材の貫通孔（または凹部）内にそれぞれ圧縮バネが収納され、各圧縮バネは連結ネジの頭部と一方のストッパ（または凹部底面）間及び連結ネジの先端が螺合されたネジ受け部材と他方のストッパ（または凹部底面）間に配置されている。
このため、連結ネジを緩めると各圧縮バネの圧縮応力がそれぞれのストッパに加えられ、ベース部材及びミラー保持部材を接合方向（閉じ方向）に押圧することができ、高い保持力の下で調整ネジによる角度調整が可能となる。
また、連結ネジを目一杯まで締め上げると、圧縮バネが完全に収縮して可動幅がほとんどなくなるため、ベース部材とミラー保持部材の角度を固定することが可能となる。
【００１５】
また、請求項１〜７に記載の角度調整機構付ミラーホルダは、ミラー保持部材とベース部材間を接合方向に付勢する手段として圧縮バネを用いており、引張りバネによる場合のように取り付け用のフックを設け、これを各部材に引っ掛けて装着する必要がないため、その分高い圧縮応力を備えた圧縮バネを採用することが可能となり、両部材間をより強い力で接合方向に付勢することが可能となる。
さらに、連結ネジの緩め具合を調節することにより、圧縮バネの反発力（圧縮応力）を任意の強さに設定できるため、一旦角度調整を行った後に、通常よりも高い保持力の下で極微細な角度調整を行う場合に便利である。
しかも、ロック手段として機能する連結ネジと、付勢手段として機能する圧縮バネが同軸上に配置されているため、連結ネジの回転に伴って余計な外力が付勢手段に加わることがなく、ロックに起因する位置ずれを防止することが可能となる。
【００１６】
また、請求項１〜７に記載の角度調整機構付ミラーホルダは、ミラー保持部材とベース部材間を閉じ方向（接合方向）に付勢する圧縮バネが、ミラー保持部材の貫通孔（または凹部）内とベース部材の貫通孔（または凹部）内に分散配置されている。
そして、連結ネジをネジ受け部材に適度に螺合させると、一方の圧縮バネが連結ネジの頭部とストッパ（または凹部底面）間で圧縮され、他方の圧縮バネが連結ネジの先端に係合されたネジ受け部材とストッパ（または凹部底面）間で圧縮されるため、それぞれが独立して反発力を発揮することとなる。
この結果、ベース部材またはミラー保持部材の何れか一方に圧縮バネを配置させる場合に比べ、遙かに広い調整ストロークと強いホールド力を具備することができる。
【００１７】
請求項４に記載の角度調整機構付ミラーホルダにあっては、共通のネジ受け部材に各連結ネジの先端が係合される仕組みを備えているため、ネジ込み時にはネジ受け部材を特に押さえなくてもその回転が規制されることとなる。このため、個別にネジ受け部材の回転を規制する場合に比べ、組立時及び調整時の作業効率を高めることが可能となる。
【００１８】
請求項５に記載の角度調整機構付ミラーホルダにあっては、ミラー保持部材の対向面における角度調整ネジが当接する部分を高硬度の焼き入れ部材によって構成したため、ホールド力の向上によってミラー保持部材の対向面に対する負荷が増大しても変形等の不具合が発生することを有効に防止できる。
【発明を実施するための最良の形態】
【００１９】
図１はこの発明に係る角度調整機構付ミラーホルダ10の背面を示すものであり、図２は図１のＡ−Ａ断面図である。
図示の通り、角度調整機構付ミラーホルダ10は、アルミニウムよりなるベース部材12とミラー保持部材14とを備えている。
図３は、ベース部材12とミラー保持部材14とを分離させた状態を示す断面図である。
【００２０】
図４はベース部材12の背面16を示す平面図であり、図５はベース部材12の正面（対向面）18を示す平面図である。
図示の通り、ベース部材12は略Ｌ字型の形状を備えている。
また、図２及び図３に示すように、ベース部材12には背面16から正面18に達する貫通孔20が形成されており、各貫通孔20にはあおり角度調整用の第１の調整ネジ22と、支点形成用及び間隔調整用の第２の調整ネジ24と、回転角度調整用の第３の調整ネジ26がそれぞれ挿通され、貫通孔20の内面に形成された雌ネジに螺合されている（図２及び図３には２つの貫通孔20のみが描かれているが、実際には３つの貫通孔20が形成されている）。
各調整ネジの先端部には、ボール29が回転自在に装着されている。
【００２１】
ベース部材12の背面16における第２の調整ネジ24の近傍には、凹部32が２つ形成されている。各凹部32は、連結ネジ30の頭部側に挿通された第１の皿バネ群34を収納するのに十分な口径を備えている。
また、各凹部32の底面には、連結ネジ30のみを挿通するための貫通孔33が同心状に形成されている。
貫通孔33は、凹部32よりも口径が小さいため、凹部32の底面と貫通孔33との間には段部が形成されている。
ベース部材12には、レーザ発振器本体（図示省略）に固定するための貫通孔35が複数形成されている。
【００２２】
図６はミラー保持部材14の背面（対向面）36を示す平面図であり、図７はミラー保持部材14の正面38を示す平面図である。
図示の通り、このミラー保持部材14の中央には、ミラー40を保持するための枠部42が形成されている。
【００２３】
また、ミラー保持部材14の背面36には、連結ネジを挿通するための一対の貫通孔44と、第１の調整ネジ22のボール29が当接する第１の受部46と、第２の調整ネジ24のボール29が当接する第２の受部48と、第３の調整ネジ26のボール29が当接する第３の受部50とが設けられている。
第１の受部46は平坦な円形をなしており、SK鋼等の焼き入れ部材によって形成されている。また、第２の受部48は中心に凹部52を備えた円形をなしており、これも焼き入れ部材より形成されている。図２及び図３に示すように、第１の受部46及び第２の受部48の本体は、共にミラー保持部材14に形成された貫通孔に嵌合され、正面38にまで達している。
これに対し第３の受部50は、焼き入れ部材よりなる一対のシャフト54を背面36に埋設してなり、平行に配置されたシャフト54，54間の溝に沿って第３の調整ネジ26のボール29が往復滑動する仕組みとなっている。
【００２４】
ミラー保持部材14の正面38には、各連結ネジ30の先端側に挿通される第２の皿バネ群56を収納するための共通凹部58が形成されている。
この共通凹部58の開口部60及び底面62は、長方形の角を丸めたような繭形状を備えており、その底面62には上記した一対の貫通孔44，44が開口している。
【００２５】
以下において、このミラーホルダ10の組み立て方法について説明する。
まず図３に示すように、ベース部材12の正面18とミラー保持部材14の背面36とを対向させた状態で、ベース部材12の背面16側から連結ネジ30を凹部32及び貫通孔33に挿通させる。
この際、連結ネジ30の頭部側には第１の皿バネ群34（複数の皿バネ34ａ＋ワッシャ34ｂ）が挿通されている。
【００２６】
つぎに、連結ネジ30の先端をミラー保持部材14の貫通孔44に挿通させ、凹部58内に到達した各連結ネジ30の先端にそれぞれ第２の皿バネ群56（複数の皿バネ56ａ＋ワッシャ56ｂ）を挿通させる。
【００２７】
つぎに、図８に示すように、ミラー保持部材14の共通凹部58にネジ受部材としての板ナット64を被せる。
この板ナット64は、ミラー保持部材14の凹部58と同様の繭形状を備えており、開口部60よりも一回り寸法が小さく形成されている。
また、板ナット64には一対のネジ穴66，66が形成されている。
最後に、各連結ネジ30の先端を板ナット64のネジ穴66，66に合わせ、連結ネジ30を回転させることにより、図２に示すように、連結ネジ30の先端がネジ穴66に螺合され、ベース部材12とミラー保持部材14とが連結ネジ30を介して一体化される。
この状態においては、第１の皿バネ群34が連結ネジ30の頭部と凹部32の底面（段部）との間に伸縮可能に配置されており、第２の皿バネ群56が板ナット64と共通凹部58の底面62との間に伸縮可能に配置されているため、各皿バネ群34,56の反発力によってベース部材12及びミラー保持部材14間が接合方向に付勢されることとなる。
そして、皿バネ群34,56の反発力に抗して連結ネジ30をさらに締め上げると、図９に示すように、皿バネ群34,56が収縮しきった状態となり、ベース部材12とミラー保持部材14間の角度がロックされる。
【００２８】
ミラー40のあおり角度や回転角度を調整するには、まず両方の連結ネジ30を少し緩め、ロック状態を解除する。
この場合でも、上記のように第１の皿バネ群34及び第２の皿バネ群56の反発力が効いているため、ミラー保持部材14とベース部材12間は十分強固にホールドされ、位置ズレが生じることはない。
つぎに第１の調整ネジ22を左右に必要量回動させると、その先端の突出量が増減し、第２の調整ネジ24のボール29及び第２の受部48の凹部52を支点にしてベース部材12とミラー保持部材14間のあおり角度が加減される。
また、第３の調整ネジ26を左右に必要量回動させると、同じくその先端の突出量が増減し、第２の調整ネジ24のボール29及び第２の受部48の凹部52を支点にしてベース部材12とミラー保持部材14間の回転角度が加減される。
ベース部材12とミラー保持部材14間の距離を調整したい場合には、第２の調整ネジ24を左右に必要量回動させる。
以上の角度調整が終了した後は、皿バネ群34,56が収縮しきるまで両方の連結ネジ30を締め上げ、ベース部材12とミラー保持部材14間の角度を固定化させる。
【００２９】
このミラーホルダ10にあっては、ベース部材12とミラー保持部材14間を接合方向に付勢する手段として皿バネ群34,56よりなる圧縮バネを用いているため、コイルバネよりなる引張りバネのように取り付け用のフックを両端に設ける必要がない。
このため、フックを収納するためのスペースを節約でき、その分多くの皿バネ34a,56aをベース部材12の凹部32内及びミラー保持部材14の共通凹部58内に収納できるため、ベース部材12及びミラー保持部材14の肉厚を比較的薄く設定しても強い保持力を確保することが可能となる。
【００３０】
また、連結ネジ30の緩め具合を調整することによって皿バネ群34,56の反発力を加減することができるため、より精妙な角度調節が可能となる。
すなわち、連結ネジ30を僅かに緩めた状態では、調整幅が狭くなる代わりにより高い付勢力がベース部材12の凹部32の底面及びミラー保持部材14の共通凹部58の底面62に加えられることとなる。このため、ベース部材12とミラー保持部材14間の角度調整が一旦完了した後に、強い保持力を保ちながらごく僅かな幅での角度調節を高精度に行うことが可能となる。
【００３１】
また、ロック用の連結ネジ30が付勢手段としての皿バネ群34,56に挿通され、各者が同軸上に配置されているため、連結ネジ30の回転によって付勢手段に余計な外力が加えられることがなく、したがってロック時に位置ずれが発生することを有効に防止することができる。
【００３２】
皿バネは撓み量の比較的小さな弾性体を多数連結させた構造を備えているため、バネ全体の伸縮量と反発力との関係が安定している利点がある一方、広い調整ストロークと強いホールド力を確保するためには設置個数を増やす必要がある。
これに対し、この発明に係るミラーホルダ10の場合、連結ネジ30に挿通させる皿バネをベース部材12側とミラー保持部材14側に分散配置させる方式を採用しているため、ベース部材あるいはミラー保持部材の何れか一方のみに皿バネを格納する場合に比べて多くの皿バネを装着することが可能となり、この結果より広い調整ストローク及び強いホールド力を確保することが容易となる。
【００３３】
皿バネの個数が増えてホールド力が高まる分、調整ネジのボール29によるミラー保持部材14の背面36に対する負荷が増大することとなるが、上記のように第１の受部46、第２の受部48及び第３の受部50が高硬度の焼き入れ部材によって構成されているため、変形等の不具合が生じることを防止できる。
【００３４】
このミラーホルダ10の場合、上記のようにミラー保持部材14の正面38に両方の連結ネジ30に挿通された第２の皿バネ群56を収納する共通凹部58を形成し、各連結ネジ30の先端を共通凹部58の開口部60よりも一回り小さい一枚の板ナット64のネジ穴66，66に螺合させる仕組みを採用しているため、板ナット64が共通凹部58内の壁面に当たってその回転が規制される結果、特に回り止めのための手段を講じなくても各連結ネジ30を螺合することが可能となり、組立工程の効率化及び調整の容易化を実現できる。
ただし、この発明はこれに限定されるものではない。例えば、ミラー保持部材14に第２の皿バネ群56を収容するための凹部を連結ネジ30の本数分形成し、それぞれに第２の皿バネ群56を配置させ、各連結ネジ30の先端をナット等のネジ受け部材を用いて個別にネジ止めしてもよい。
【００３５】
上記にあっては、ベース部材12の凹部32の底面が、第１の皿バネ群34の反発力を受け止めるストッパとして機能し、ミラー保持部材14の共通凹部58の底面62が、第２の皿バネ群56の反発力を受け止めるストッパとして機能する例を示したが、この発明はこれに限定されるものではない。
要は、第１の皿バネ群34及び第２の皿バネ群56の反発力を受け止めてベース部材12及びミラー保持部材14を接合方向に付勢できればよいのであり、例えば第１の皿バネ群34及び第２の皿バネ群56を収納するのに十分な径を備えた貫通孔をベース部材12及びミラー保持部材14に形成しておき、それぞれの貫通孔内に各皿バネ群の移動を規制する突起部（当接部）を形成することによって代替してもよい。
【００３６】
上記にあっては、連結ネジ30に第１の皿バネ群34及び第２の皿バネ群56を挿通させる例を示したが、これらの代わりに第１の圧縮コイルバネ及び第２の圧縮コイルバネをベース部材12の凹部32内及びミラー保持部材14の共通凹部58内に配置させ、それぞれに連結ネジ30を挿通させるように構成してもよい。
【図面の簡単な説明】
【００３７】
【図１】この発明に係る角度調整機構付ミラーホルダの背面を示す平面図である。
【図２】図１のＡ−Ａ断面図である。
【図３】ベース部材とミラー保持部材とを分離させた状態を示す断面図である。
【図４】ベース部材の背面を示す平面図である。
【図５】ベース部材の正面（対向面）を示す平面図である。
【図６】ミラー保持部材の背面（対向面）を示す平面図である。
【図７】ミラー保持部材の正面を示す平面図である。
【図８】角度調整機構付ミラーホルダの正面を示す平面図である。
【図９】角度調整機構付ミラーホルダの連結ネジを締め上げた状態を示す断面図である。
【符号の説明】
【００３８】
10    角度調整機構付ミラーホルダ
12    ベース部材
14    ミラー保持部材
16    ベース部材の背面
18    ベース部材の正面
20    調整ネジ挿通用の貫通孔
22    第１の調整ネジ
24    第２の調整ネジ
26    第３の調整ネジ
29    ボール
30    連結ネジ
32    ベース部材の凹部
33    ベース部材の貫通孔
34    第１の皿バネ群
34ａ  皿バネ
34ｂ  ワッシャ
36    ミラー保持部材の背面
38    ミラー保持部材の正面
40    ミラー
42    枠部
44    ミラー保持部材の貫通孔
46    第１の受部
48    第２の受部
50    第３の受部
52    凹部
54    シャフト
56    第２の皿バネ群
56ａ 皿バネ
56ｂ ワッシャ
58    共通凹部
60    共通凹部の開口部
62    共通凹部の底面
64    板ナット
66    ネジ穴
【図１】
0004847746.tif 000002
【図２】
0004847746.tif 000003
【図３】
0004847746.tif 000004
【図４】
0004847746.tif 000005
【図５】
0004847746.tif 000006
【図６】
0004847746.tif 000007
【図７】
0004847746.tif 000008
【図８】
0004847746.tif 000009
【図９】
0004847746.tif 000010